(57)【要約】【課題】様々な幅の連続紙ＷＰが巻きつけ可能なヒートローラ３１の第１ヒータ３４ａおよび第２ヒータ３４ｂを効率的に制御する。【解決手段】第１周面３８ａに狭幅連続紙ＷＰ（ａ１）またはＷＰ（ａ２）を巻きつけるとき、第１周面３８ａに対応した第１ヒータ３４ａのみで連続紙ＷＰ（ａ１）またはＷＰ（ａ２）を目標温度まで加熱可能か判断する。加熱できないと判断した場合は第１ヒータ３４ａに加えて、第２ヒータ３４ｂでヒートローラ３１を補助的に加熱する。【選択図】図３
2019166799.tif 000002
【特許請求の範囲】
【請求項１】
印刷媒体を搬送する搬送部と、
前記搬送部によって搬送される印刷媒体に対してインク滴を吐出して前記印刷媒体に対して印刷を行うプリンタ部と、
前記印刷媒体の搬送方向に直交する方向において長尺で、前記プリンタ部による印刷後の印刷媒体が接触する周面を備えたヒートローラと、
前記ヒートローラの前記周面は、前記印刷媒体の全幅または大半が接触する用紙領域と、前記用紙領域以外の非用紙領域と、を含み、
前記用紙領域に対応して設けられ前記周面を加熱する第１ヒータと、
前記非用紙領域に対応して設けられ前記周面を加熱する第２ヒータと、
前記用紙領域側の目標温度を提供する目標温度提供手段と、
前記用紙領域側の温度を測定するセンサと、
前記第１ヒータによる前記周面の加熱が行われた状態で前記目標温度と前記センサ出力とを参照して、前記第２ヒータによる前記用紙領域の補助加熱が必要か判断する判断手段と、
前記判断手段により前記用紙領域の補助加熱が必要と判断された場合に、前記用紙領域における不足熱量相当値に応じた強度の駆動信号で前記第２ヒータを駆動するヒータ駆動回路とを、を備えたインクジェット印刷装置。
【請求項２】
請求項１に記載の発明において、前記第１ヒータと前記第２ヒータが前記ヒートローラの軸方向に並置されていることを特徴とするインクジェット印刷装置。
【請求項３】
請求項１または請求項２に記載の発明において、前記目標温度と前記センサ出力との差分温度を、前記用紙領域における不足熱量相当値として使用することを特徴とするインクジェット印刷装置。
【請求項４】
請求項１または２記載の発明において、前記センサ出力から算出した前記第1ヒータ駆動信号のデューティ比と前記第1ヒータ駆動信号の最大デューティ比との差分を前記用紙領域における不足熱量相当値として使用することを特徴とするインクジェット印刷装置。
【請求項５】
請求項１乃至４記載の発明において、前記ヒータ駆動回路は、前記第２ヒータの前記非用紙領域から前記用紙領域への熱的寄与率を考慮して前記第２ヒータを駆動することを特徴とする、請求項1乃至４のいずれかに記載のインクジェット印刷装置。
【請求項６】
印刷媒体を搬送する搬送部と、前記搬送部によって搬送される印刷媒体に対してインク滴を吐出して前記印刷媒体に対して印刷を行うプリンタ部と、前記印刷媒体の搬送方向に直交する方向において長尺で、前記プリンタ部による印刷後の印刷媒体が接触する周面を備えたヒートローラと、前記ヒートローラの前記周面は、前記印刷媒体の全幅または大半が接触する用紙領域と、前記用紙領域以外の非用紙領域と、を含み、前記用紙領域に対応して設けられ前記周面を加熱する第１ヒータと、前記非用紙領域に対応して設けられ前記周面を加熱する第２ヒータと、前記用紙領域側の温度を測定するセンサと、を備えたインクジェット印刷装置における印刷媒体加熱方法であって、
前記用紙領域側の目標温度を提供する目標温度提供工程と、
前記第１ヒータによる前記周面の加熱が行われた状態で前記用紙領域側の温度を測定し測定温度を出力する温度測定工程と、
前記目標温度と前記測定温度とを参照して、前記第２ヒータによる前記用紙領域の補助加熱が必要か判断する判断工程と、
前記判断工程により前記用紙領域の補助加熱が必要と判断された場合に、前記用紙領域における不足熱量相当値に応じた強度の駆動信号を生成し前記第２ヒータを駆動する第２ヒータ駆動工程と、を備えた印刷媒体加熱方法。
【発明の詳細な説明】
【技術分野】
【０００１】
本発明は、インクジェットヘッドからインク滴を吐出して印刷媒体に印刷を行うインクジェット印刷装置およびインクジェット印刷装置における印刷媒体加熱方法に関する。
【背景技術】
【０００２】
近年、インクジェット印刷機における印刷速度を向上する目的で、いわゆる「ワンパス」型の印刷機が開発されている。このタイプの印刷機は、印刷媒体を搬送方向に搬送する搬送部と、印刷媒体にインク滴を吐出して印刷を行う印刷部とを備える。印刷部は、印刷媒体の全幅をカバーするだけの横幅を有する。ワンパス型印刷機では、印刷媒体を搬送しながら印刷媒体を印刷するので印刷速度が向上する。また、印刷部の搬送方向下流にヒータを配置し、印刷後の印刷媒体を効率的に乾燥する。これにより印刷速度がさらに向上する。
【先行技術文献】
【特許文献】
【０００３】
【特許文献１】特開２００９−１２４８０号公報
【発明の概要】
【発明が解決しようとする課題】
【０００４】
ところで、搬送部の中には狭幅から広幅まで様々な幅の印刷媒体を搬送できるものが存在する。これを受け、搬送する印刷媒体の幅に応じて加熱領域を変更できるヒータが存在する（例えば、特許文献１）。本発明は、加熱領域を切り替えることが可能で、かつ印刷媒体を効率的に加熱することが可能なヒータを備えたインクジェット印刷装置およびそのようなインクジェット印刷装置における印刷媒体加熱方法を提供することを目的とする。
【課題を解決するための手段】
【０００５】
本発明は、上記目的を達成するために、つぎのような構成をとる。
【０００６】
すなわち、請求項１に記載の発明は、印刷媒体を搬送する搬送部と、前記搬送部によって搬送される印刷媒体に対してインク滴を吐出して前記印刷媒体に対して印刷を行うプリンタ部と、前記印刷媒体の搬送方向に直交する方向において長尺で、前記プリンタ部による印刷後の印刷媒体が接触する周面を備えたヒートローラと、前記ヒートローラの前記周面は、前記印刷媒体の全幅または大半が接触する用紙領域と、前記用紙領域以外の非用紙領域と、を含み、前記用紙領域に対応して設けられ前記周面を加熱する第１ヒータと、前記非用紙領域に対応して設けられ前記周面を加熱する第２ヒータと、前記用紙領域側の目標温度を提供する目標温度提供手段と、前記用紙領域側の温度を測定するセンサと、前記第１ヒータによる前記周面の加熱が行われた状態で前記目標温度と前記センサ出力とを参照して、前記第２ヒータによる前記用紙領域の補助加熱が必要か判断する判断手段と、前記判断手段により前記用紙領域の補助加熱が必要と判断された場合に、前記用紙領域における不足熱量相当値に応じた強度の駆動信号で前記第２ヒータを駆動するヒータ駆動回路と、を備えたインクジェット印刷装置である。
【０００７】
請求項２に記載の発明は、請求項１に記載の発明において、前記第１ヒータと前記第２ヒータが前記ヒートローラの軸方向に並置されていることを特徴とするインクジェット印刷装置である。
【０００８】
請求項３に記載の発明は、請求項１または請求項２に記載の発明において、前記目標温度と前記センサ出力との差分温度を、前記用紙領域における不足熱量相当値として使用することを特徴とするインクジェット印刷装置である。
【０００９】
請求項４に記載の発明は、請求項１または２記載の発明において、前記センサ出力から算出した前記第1ヒータ駆動信号のデューティ比と前記第1ヒータ駆動信号の最大デューティ比との差分を前記用紙領域における不足熱量相当値として使用することを特徴とするインクジェット印刷装置である。
【００１０】
請求項５に記載の発明は、請求項１乃至４記載の発明において、前記ヒータ駆動回路は、前記第２ヒータの前記非用紙領域から前記用紙領域への熱的寄与率を考慮して前記第２ヒータを駆動することを特徴とする、請求項1乃至４のいずれかに記載のインクジェット印刷装置である。
【００１１】
請求項６に記載の発明は、印刷媒体を搬送する搬送部と、前記搬送部によって搬送される印刷媒体に対してインク滴を吐出して前記印刷媒体に対して印刷を行うプリンタ部と、前記印刷媒体の搬送方向に直交する方向において長尺で、前記プリンタ部による印刷後の印刷媒体が接触する周面を備えたヒートローラと、前記ヒートローラの前記周面は、前記印刷媒体の全幅または大半が接触する用紙領域と、前記用紙領域以外の非用紙領域と、を含み、前記用紙領域に対応して設けられ前記周面を加熱する第１ヒータと、前記非用紙領域に対応して設けられ前記周面を加熱する第２ヒータと、前記用紙領域側の温度を測定するセンサと、を備えたインクジェット印刷装置における印刷媒体加熱方法であって、前記用紙領域側の目標温度を提供する目標温度提供工程と、前記第１ヒータによる前記周面の加熱が行われた状態で前記用紙領域側の温度を測定し測定温度を出力する温度測定工程と、前記目標温度と前記測定温度とを参照して、前記第２ヒータによる前記用紙領域の補助加熱が必要か判断する判断工程と、前記判断工程により前記用紙領域の補助加熱が必要と判断された場合に、前記用紙領域における不足熱量相当値に応じた強度の駆動信号を生成し前記第２ヒータを駆動する第２ヒータ駆動工程と、を備えた印刷媒体加熱方法である。
【発明の効果】
【００１２】
請求項１および請求項６記載の発明によれば、第２ヒータによる用紙領域の補助加熱が必要か判断する。補助加熱が必要と判断された場合に、用紙領域における不足熱量相当値に応じた強度の駆動信号で第２ヒータを駆動する。このため、第２ヒータは必要な強度で用紙領域を補助加熱でき、印刷媒体を効率的に加熱することが可能になる。
【図面の簡単な説明】
【００１３】
【図１】実施形態に係るインクジェット印刷装置の概略構成図である。
【図２】乾燥部の模式的な側面図である。
【図３】乾燥部の模式的な側面図と連続紙の巻きつけ位置を示すグラフとを併記した図面である。
【図４】ヒートローラの温度分布を説明する図である。
【図５】加熱制御部のブロック図である。
【図６】第１の実施例における狭幅連続紙の加熱制御を説明するフローチャートである。
【図７】第２の実施例における狭幅連続紙の加熱制御を説明するフローチャートである。
【発明を実施するための形態】
【００１４】
１．全体構成
以下、図面を参照して本発明の実施形態を説明する。図１は、本実施形態に係るインクジェット印刷装置の概略構成図である。ここで、図１における座標系（Ｘ，Ｙ，Ｚ）は、＋Ｚ軸方向を鉛直上方方向とする座標系であり、図示の通りに定義されているものとする。なお、紙面に対して手前側が＋Ｙ軸方向、奥側が−Ｙ軸方向である。
【００１５】
インクジェット印刷装置１００（以下、適宜に「印刷装置１００」と呼ぶ）は、長尺の連続紙ＷＰ（印刷媒体）に印刷を行う。印刷装置１００は、給紙部１と、印刷機本体２と、排紙部３と、入力部４とを備える。給紙部１は連続紙ＷＰのロールを回転可能に保持し、連続紙ＷＰを印刷機本体２に供給する。印刷機本体２は供給された連続紙ＷＰに印刷を行うと共に、印刷後の連続紙ＷＰを加熱して乾燥する。印刷機本体２は印刷と乾燥とを行った連続紙ＷＰを排紙部３に排出する。排紙部３は排出された連続紙ＷＰをロール状に巻き取って回収する。入力部４はタッチパネル、キーボード等のデータ入力デバイスであり、作業者は入力部４を介して連続紙ＷＰの目標温度データＤ１を入力する。目標温度データＤ１は後述する用紙領域Ｒ１および非用紙領域Ｒ２の目標温度を個別に指定するデータである。さらに、画像処理装置等の外部装置から印刷機本体２に印刷データＤ２が供給される。
【００１６】
印刷機本体２は、搬送部１０とプリンタ部２０と乾燥部３０とを備える。
【００１７】
搬送部１０は複数の駆動ローラ１１、１５、１６、および１９と、複数の従動ローラ１２、１３、１４、１７、および１８とを備える。駆動ローラ１１は不図示のモータで回転することで給紙部１から連続紙ＷＰを引き出してプリンタ部２０に搬送する。従動ローラ１２乃至１４は連続紙ＷＰを駆動ローラ１５に向けて案内する。駆動ローラ１５および駆動ローラ１６は不図示のモータで回転することで連続紙ＷＰをＸ軸方向（搬送方向）に搬送する。従動ローラ１７は連続紙ＷＰを乾燥部３０に向けて案内する。従動ローラ１８は連続紙ＷＰを駆動ローラ１９に向けて案内する。駆動ローラ１９は不図示のモータで回転し、印刷済みの連続紙ＷＰを排紙部３に向けて排出する。排紙部３は印刷と乾燥とが行われた連続紙ＷＰをロール状に巻き取って回収する。搬送部１０は連続紙ＷＰ（印刷媒体）の種類などに応じて異なる速度で連続紙ＷＰを搬送することができる。
【００１８】
プリンタ部２０は連続紙ＷＰの搬送経路の上方に位置する。プリンタ部２０は、Ｘ軸方向に搬送される連続紙ＷＰに向けて、印刷データＤ２に含まれる画像データＤ３に応じてインク滴ｄを吐出して印刷するインクジェット式である。
【００１９】
プリンタ部２０はインクジェットヘッド２１を備える。インクジェットヘッド２１は複数のノズル（不図示）をＹ軸方向に配置したノズル列を含む。ノズル列の各ノズルは、連続紙ＷＰの一方面（表面）に向け、画像データに応じてインク滴ｄを吐出して連続紙ＷＰを印刷する。同一のノズル列に属する各ノズルは同一色のインクを吐出する。インクジェットヘッド２１は少なくとも一列のノズル列を有するが、複数のノズル列から異なる色のインクを吐出しても多色印刷を実現してもよい。
【００２０】
乾燥部３０はプリンタ部２０が印刷した連続紙ＷＰを乾燥する。乾燥部３０はヒートローラ３１を備える。ヒートローラ３１は回転軸をＹ軸方向に一致させた中空の筒状体であり、その内部空間に複数のヒータ３４（図１に不図示）を格納する。ヒートローラ３１は連続紙ＷＰの非印刷面（他方面。裏面）をその外周面の一部に巻きつけつつ連続紙ＷＰを加熱して乾燥する。乾燥部３０の詳細は後述する。
【００２１】
全体制御部４０は、ＣＰＵやメモリなどを備えており、連続紙ＷＰに印刷するための印刷データＤ２を画像編集装置等の外部装置から受信する。印刷データＤ２は、印刷対象画像の画像データＤ３、印刷に必要な用紙サイズや紙厚を示す用紙データＤ４、印刷時の連続紙ＷＰの搬送速度を示す搬送速度データＤ５などを含む。
【００２２】
全体制御部４０は受信した印刷データＤ２に応じて印刷装置１００の各部（給紙部１、印刷機本体２および排紙部３）を制御して印刷装置１００による連続紙ＷＰへの印刷を行う。すなわち、全体制御部４０は印刷データＤ２から抽出した画像データＤ３に応じてプリンタ部２０を制御してインクジェットヘッド２１から連続紙ＷＰに向けてインク滴ｄを吐出する。また、全体制御部４０は、印刷データＤ２から抽出した用紙データＤ４が示す用紙サイズの連続紙ＷＰが、同じく印刷データＤ２から抽出した搬送速度データＤ５が示す搬送速度で搬送されるように、給紙部１、搬送部１９および排紙部３を制御する。
【００２３】
さらに、全体制御部４０は乾燥部３０を制御するための加熱制御部５０を備える。加熱制御部５０はヒートローラ３１のヒータ３４（図２）の駆動信号のデューティ比を可変する。加熱制御部５０の詳細は後述する。
【００２４】
２．乾燥部３０
図２は乾燥部３０を給紙部１側からＸ軸方向に見た模式的な側面図である。乾燥部３０は中空筒状でＹ軸方向において長尺なヒートローラ３１と、ヒートローラ３１のＹ軸方向の両端部に配置された黒体３２ａおよび３２ｂと、ヒートローラ３１を回転するモータ３３と、ヒートローラ３１の内部に配置された第１ヒータ３４ａおよび第２ヒータ３４ｂと、ヒートローラ３１の＋Ｙ軸方向端部に配置された第１センサ３５ａと、ヒートローラ３１の−Ｙ軸方向端部に配置された第２センサ３５ｂとを備える。以下では、黒体３２ａおよび３２ｂを除くヒートローラ３１のＹ軸方向長さを「全幅長Ｙ」という。
【００２５】
第１ヒータ３４ａおよび第２ヒータ３４ｂは例えばハロゲンヒータであり、駆動信号のデューティ比（強度）に応じた赤外線を放射してヒートローラ３１を内周面３６から加熱する。第１ヒータ３４ａはヒートローラ３１のＹ軸方向中間位置３７（以下では、適宜に「中間位置３７」と略称する）よりも＋Ｙ軸方向側に位置し、第２ヒータ３４ｂは中間位置３７よりも−Ｙ軸方向側に位置する。加熱制御部５０（図１）は各ヒータ３４ａおよび３４ｂの出力を個別に制御する。すなわち、加熱制御部５０は各ヒータ３４ａおよび３４ｂに供給する駆動信号のデューティ比を可変することにより各ヒータ３４ａおよび３４ｂの出力を個別に制御する。なお、各ヒータ３４ａおよび３４ｂはヒートローラ３１の内周面３６を加熱可能であれば任意のヒータが採用可能であり、例えば、シーズヒータであってもよい。
【００２６】
第１センサ３５ａおよび第２センサ３５ｂは例えば放射温度計であり、各センサ３５ａおよび３５ｂに対向する箇所（すなわち、黒体３２ａの＋Ｙ軸方向側端部近傍、黒体３２ｂの−Ｙ軸方向側端部近傍）においてヒートローラ３１の外周面３８の温度を検出する。
【００２７】
なお、以下では、第１ヒータ３４ａおよび第２ヒータ３４ｂを適宜、「ヒータ３４」と総称する。同様に、第１センサ３５ａおよび第２センサ３５ｂを適宜、「センサ３５」と総称する。
【００２８】
図２に示すように、ヒートローラ３１の外周面３８には黒体３２ａおよび３２ｂを除くヒートローラ３１の＋Ｙ軸方向端部から−Ｙ軸方向端部までの長さの幅を有する連続紙ＷＰを密着させつつ巻きつけることができる。なお、以下ではこの幅の連続紙ＷＰを「全幅連続紙ＷＰ（ｆ）」と呼ぶことがある。また、ヒートローラ３１の外周面３８には全幅連続紙ＷＰ（ｆ）よりも短い様々な幅の連続紙ＷＰを巻きつけることが可能である。
【００２９】
３．巻きつけ位置
図３は図２で前述した乾燥部３０の側面図に、ヒートローラ３１への各幅の連続紙ＷＰの巻きつけ位置を説明するグラフＧ１を併記した説明図である。外周面３８はＹ軸方向中間位置３７を中心に、＋Ｙ軸方向側の領域（第１外周面３８ａ）と、−Ｙ軸方向側の領域（第２外周面３８ｂ）とに分割される。全幅連続紙ＷＰ（ｆ）をヒートローラ３１に巻きつけるときは第１外周面３８ａおよび第２外周面３８ｂの両方を使用する。
【００３０】
第１外周面３８ａは、全幅長Ｙの１／２よりも短い幅の連続紙ＷＰ（ａ１）、および全幅長Ｙの１／２よりも若干長い幅の連続紙ＷＰ（ａ２）を巻きつけるために使用される。同様に、第２外周面３８ｂは、全幅長Ｙの１／２よりも短い幅の連続紙ＷＰ（ｂ１）、および全幅長Ｙの１／２よりも若干長い幅の連続紙ＷＰ（ｂ２）を巻きつけるために使用される。全幅長Ｙの具体的長さは例えば５２０ｍｍである。第１外周面３８ａの全幅と第２外周面３８ｂの一部幅とを使用して巻きつけられる連続紙ＷＰの最大幅は例えば３５０ｍｍである。同じく、第２外周面３８ｂの全幅と第１外周面３８ａの一部幅とを使用して巻きつけられる連続紙ＷＰの最大幅は例えば３５０ｍｍである。ここでは、連続紙ＷＰ（ａ２）が第１外周面３８ａの全幅と第２外周面３８ｂの一部幅とを使用して巻きつけられる最大幅の連続紙ＷＰであり、連続紙ＷＰ（ｂ２）が第２外周面３８ｂの全幅と第１外周面３８ａの一部幅とを使用して巻きつけられる最大幅の連続紙ＷＰであるとする。なお、以下では、連続紙ＷＰ（ａ１）および連続紙ＷＰ（ａ２）を適宜、「第１狭幅連続紙ＷＰ（ａ）」と総称する。同じく、連続紙ＷＰ（ｂ１）および連続紙ＷＰ（ｂ２）を適宜、「第２狭幅連続紙ＷＰ（ｂ）」と総称する。さらに、「第１狭幅連続紙ＷＰ（ａ）」および「第２狭幅連続紙ＷＰ（ｂ）」を適宜、「狭幅連続紙ＷＰ（ｎ）」と総称する。
【００３１】
狭幅連続紙ＷＰ（ｎ）を使用するときに狭幅連続紙ＷＰ（ｎ）の全幅または大半が巻きつけられる側の外周面３８を「用紙領域Ｒ１」という。すなわち、第１狭幅連続紙ＷＰ（ａ）の全幅または大半が巻きつけられる側の外周面３８は第１外周面３８ａであるので、第１狭幅連続紙ＷＰ（ａ）にとっては第１外周面３８ａが「用紙領域Ｒ１」となる。一方、第２狭幅連続紙ＷＰ（ｂ）の全幅または大半が巻きつけられる側の外周面３８は第２外周面３８ｂであるので、第２狭幅連続紙ＷＰ（ｂ）にとっては第２外周面３８ｂが「用紙領域Ｒ１」となる。また、用紙領域Ｒ１に対応しない側の外周面３８を「非用紙領域Ｒ２」という。
【００３２】
前述の第１ヒータ３４ａは第１外周面３８ａに対応して設けられており、第１外周面３８ａの側から外周面３８を加熱する。第２ヒータ３４ｂは第２外周面３８ｂに対応して設けられており、第２外周面３８ｂの側から外周面３８を加熱する。
【００３３】
４．温度分布
図４はヒートローラ３１の外周面３８の温度分布を説明する説明図である。図４の横軸はＹ軸方向位置を示し、縦軸は外周面３８の温度を示す。符号「Ｙ１」は黒体３２ａおよび３２ｂを除くヒートローラ３１の＋Ｙ軸方向側端部（以下、「第１端部Ｙ１」という。）の位置であり、符号「Ｙ２」は黒体３２ａおよび３２ｂを除くヒートローラ３１の−Ｙ軸方向側端部（以下、「第２端部Ｙ２」という。）の位置である。
【００３４】
図４中、実線で示す曲線Ｌ１は第１ヒータ３４ａおよび第２ヒータ３４ｂを最大デューティ比で駆動したときの外周面３８の温度分布である。温度分布曲線Ｌ１は中央位置３７にて最大値（温度ｔ４）を示し、第１端部Ｙ１および第２端部Ｙ２にて最小値（温度ｔ２）を示す。第１ヒータ３４ａおよび第２ヒータ３４ｂへの駆動信号のデューティ比を可変することにより第１外周面３８ａおよび第２外周面３８ｂの温度分布は図４の温度分布曲線Ｌ１が下方に移行するように変化する。温度分布曲線Ｌ１を上下することにより、全幅連続紙ＷＰ（ｆ）を所望の温度で加熱することができる。
【００３５】
図４中、一点鎖線で示す曲線Ｌ２は第２ヒータ３８ｂを消灯させたまま、第１ヒータ３８ａを最大デューティ比で駆動したときの外周面３８の温度分布である。温度分布曲線Ｌ２は第１端部Ｙ１と中間位置３７の略中間位置Ｙ１１にて最大値（温度ｔ３）を示し、第２端部Ｙ２にて最小値（温度ｔ１）を示す。第１ヒータ３４ａへの駆動信号のデューティ比を可変することにより第１外周面３８ａおよび第２外周面３８ｂの温度分布は図４の温度分布曲線Ｌ２が下方に移行するように変化する。温度分布曲線Ｌ２を上下することにより、第１狭幅連続紙ＷＰ（ａ）を所望の温度で加熱することができる。
【００３６】
図４中、破線で示す曲線Ｌ３は第１ヒータ３８ａを消灯させたまま、第２ヒータ３８ｂを最大デューティ比で駆動したときの外周面３８の温度分布である。温度分布曲線Ｌ３は第２端部Ｙ２と中間位置３７の略中間位置Ｙ１２にて最大値（温度ｔ３）を示し、第１端部Ｙ１にて最小値（温度ｔ１）を示す。第２ヒータ３４ａへの駆動信号のデューティ比を可変することにより第１外周面３８ａおよび第２外周面３８ｂの温度分布は温度分布曲線Ｌ３が下方に移行するように変化する。温度分布曲線Ｌ３を上下することにより、第２狭幅連続紙ＷＰ（ｂ）を所望の温度で加熱することができる。
【００３７】
この印刷装置１００では、狭幅連続紙ＷＰ（ｎ）を加熱する際、用紙領域Ｒ１に対応するヒータ３４を主に使用する。すなわち、第１狭幅連続紙ＷＰ（ａ）の加熱には第１ヒータ３４ａを主に使用し、第２狭幅連続紙ＷＰ（ｂ）の加熱には第２ヒータ３４ｂを主に使用する。
【００３８】
しかし、用紙領域Ｒ１のヒータ３４だけでは狭幅連続紙ＷＰ（ｎ）を指定された目標温度で加熱できないと加熱制御部５０（後述するヒータ制御部５２）が判断することがある。この場合、加熱制御部５０（ヒータ制御部５２）は非用紙領域Ｒ２のヒータ３４を補助的に使用して用紙領域Ｒ１に巻きつけられた狭幅連続紙ＷＰ（ｎ）を補助加熱する。
【００３９】
５．加熱制御部５０
図５は加熱制御部５０のブロック図である。加熱制御部５０はメモリ５１、ヒータ制御部５２、第１ヒータ駆動回路５３ａ、および第２ヒータ駆動回路５３ｂを備える。
【００４０】
第１ヒータ駆動回路５３ａはフィードバック回路であり、第１センサ３５ａが検出する第１外周面３８ａの温度と予め設定された目標温度との差分に基づいて計算したデューティ比の駆動信号を第１ヒータ３４ａに供給する。同様に、第２ヒータ駆動回路５３ｂもフィードバック回路であり、第２センサ３５ｂが検出する第２外周面３８ｂの温度と予め設定された目標温度との差分に基づいて計算したデューティ比の駆動信号を第２ヒータ３４ｂに供給する。
【００４１】
メモリ５１は、用紙領域Ｒ１に対する非用紙領域Ｒ２側ヒータ３４の「熱的寄与率」を記憶する。印刷装置１００では、狭幅連続紙ＷＰ（ｎ）を非用紙領域Ｒ２のヒータ３４で加熱する際に、非用紙領域Ｒ２側のヒータ３４から用紙領域Ｒ１への熱的寄与率を考慮する。図４中の温度分布曲線Ｌ３を使用して熱的寄与率を説明する。  
【００４２】
熱的寄与率とは非用紙領域Ｒ２（ここでは第２外周面３８ｂ）側のヒータ３４（同第２ヒータ３４ｂ）が用紙領域Ｒ１（同第１外周面３８ａ）の昇温に寄与する度合いを示す値であり、例えば、第２ヒータ３４ｂを最大デューティ比で駆動したときの最大温度ｔ３を最小温度ｔ１で除算することにより求めることができる。最大温度ｔ３は非用紙領域Ｒ２で得られ、最小温度ｔ１は用紙領域Ｒ１で得られる。非用紙領域Ｒ２で最大温度ｔ３に対応する熱量が、用紙領域Ｒ１には最小温度ｔ１まで減衰して伝熱する。熱的寄与率は非用紙領域Ｒ２のヒータ３４の用紙領域Ｒ１に与える熱的影響の度合いを示している。
【００４３】
熱的寄与率は、用紙領域Ｒ１側の不足熱量相当値（例えば、駆動信号の強度不足、温度不足）を、非用紙領域Ｒ２側のヒータ３４の制御値（例えば、非用紙領域Ｒ２側ヒータ４３の駆動信号の目標デューティ比、非用紙領域Ｒ２の目標温度）に換算するために使用される。
【００４４】
６．第１実施例：加熱制御フロー（狭幅連続紙ＷＰ（ｎ）：デューティ比制御）
次に、図５および図６を用いて狭幅連続紙ＷＰ（ｎ）の加熱制御の一例について説明する。本例は用紙領域Ｒ１側の不足熱量相当値を用紙領域Ｒ１側ヒータ３４への駆動信号のデューティ比をベースに計算する。図６は狭幅連続紙ＷＰ（ｎ）をヒータ３４を用いて加熱制御する際のフローチャートである。ここでは、狭幅連続紙ＷＰ（ｎ）として第１狭幅連続紙ＷＰ（ａ）を使用するものとする。  
【００４５】
ステップＳ１
作業者は入力部４から目標温度データＤ１を入力する。すなわち、作業者は用紙領域Ｒ１側の目標温度（第１目標温度ｔ１１）を入力部４から目標温度データＤ１として入力する。ヒータ制御部５２は、これを受け、用紙領域Ｒ１側ヒータ駆動回路５３（第１ヒータ駆動回路５３ａ）に第１目標温度ｔ１１を設定する。入力部４は本発明における目標温度提供手段に相当する。
【００４６】
ステップＳ２
さらに、連続紙ＷＰの加熱のために非用紙領域Ｒ２側ヒータ３４（第２ヒータ３４ｂ）を併用する場合、作業者は非用紙領域Ｒ２側の目標温度（第２目標温度ｔ１２）を入力部４から目標温度データＤ１として入力する。ヒータ制御部５２は、これを受け、非用紙領域Ｒ２側ヒータ駆動回路５３（第２ヒータ駆動回路５３ｂ）に第２目標温度ｔ１２を設定する。
【００４７】
ステップＳ３
第２ヒータ駆動回路５３ｂは非用紙領域Ｒ２側センサ３５（第２センサ３５ｂ）の出力とステップＳ１で設定された第２目標加熱温度ｔ１２との差分温度ｔ１３を取得する。
【００４８】
ステップＳ４
第２ヒータ駆動回路５３ｂは差分温度ｔ１３に基づいて非用紙領域Ｒ２側のヒータ３４（第２ヒータ３４ｂ）のデューティ比を計算する。
【００４９】
ステップＳ５
第２ヒータ駆動回路５３ｂはステップＳ４で計算したデューティ比の駆動信号で第２ヒータ３４ｂを駆動する。
【００５０】
ステップＳ６
第１ヒータ駆動回路５３ａは用紙領域Ｒ１側センサ３５（第１センサ３５ａ）の出力とステップＳ１で設定された第１目標加熱温度ｔ１１との差分温度ｔ１４を取得する。
【００５１】
ステップＳ７
第１ヒータ駆動回路５３ａは差分温度ｔ１４に基づいて用紙領域Ｒ１側ヒータ３４（第１ヒータ３４ａ）への駆動信号のデューティ比を計算する。
【００５２】
ステップＳ８
第１ヒータ駆動回路５３ａはステップＳ７で計算したデューティ比の駆動信号で第１ヒータ３４ａを駆動する。なお、用紙領域Ｒ１には上限温度が設定されており、第１ヒータ駆動回路５３ａは前記上限温度を超えない限度で駆動信号のデューティ比を計算する。
【００５３】
ステップＳ９
ヒータ制御部５２は加熱処理を終了するか判断する。加熱処理を終了する場合には終了モードに移行する。終了しない場合には、ステップＳ１０に移行する。
【００５４】
ステップＳ１０
ヒータ制御部５２は用紙領域Ｒ１側のセンサ３５（第１センサ３５ａ）の出力を参照する。ヒータ制御部５２は、第１ヒータ３４ａの加熱開始から一定時間経過するまでは、用紙領域Ｒ１が第１目標温度ｔ１１に到達したか否かに拘わらず「Ｎｏ」と判断し、ステップＳ３に回帰して、ステップＳ３からＳ９までの処理ループを再び繰り返す。一方、第１ヒータ３４ａの加熱開始から一定時間が経過した後で、かつ、用紙領域Ｒ１が第１目標温度ｔ１１に到達していない場合は「Ｙｅｓ」と判断し、ステップＳ１１に移行する。ステップＳ１０で「Ｙｅｓ」と判断することは、用紙領域Ｒ１側ヒータ３４の温度が不足しており、非用紙領域Ｒ２側ヒータ３４による補助加熱が必要であると判断したことを意味する。なお、前記一定時間とは、例えば、それを経過するまでに第１ヒータ３４ａへの駆動信号のデューティ比が飽和状態（最大デューティ比）まで上昇するような時間である。ヒータ制御部５２は本発明における判断手段に相当する。
【００５５】
ステップＳ１０で「Ｙｅｓ」と判断すると、ヒータ制御部５２はステップＳ１１に移行する。ステップＳ１１以降では、非用紙領域Ｒ２側ヒータ３４（第２ヒータ３４ｂ）を補助的に使用して用紙領域Ｒ１に巻きつけられた狭幅連続紙ＷＰ（ｎ）を補助加熱する。
【００５６】
ステップＳ１１
ヒータ制御部５２は非用紙領域Ｒ２側センサ３５（第２センサ３５ｂ）が検出する非用紙領域Ｒ２の温度と第２目標温度との差分温度ｔ１５を取得する。
【００５７】
ステップＳ１２
ヒータ制御部５２はステップＳ７で求めた第１ヒータ３４ａへの駆動信号のデューティ比と第１ヒータ３４ａへの駆動信号の最大デューティ比との差分デューティ比を計算する。例えば、Ｓ７で求めたデューティ比が１２０％で、最大デューティ比が１００％であれば、差分デューティ比は２０％となる。この差分デューティ比は用紙領域Ｒ１側で不足する熱量をヒータ駆動信号のデューティ比で表現したものである。
【００５８】
ステップＳ１３
ヒータ制御部５２は非用紙領域Ｒ２側のヒータ（第２ヒータ３４ｂ）の駆動信号のデューティ比を以下の式１で計算する。
（式１）
「非用紙領域側ヒータの駆動信号のデューティ比」＝「差分温度ｔ１５に基づいて計算したデューティ比」＋｛「Ｓ１２で求めた差分デューティ比」×熱的寄与率｝
【００５９】
式１の右辺の第１項は非用紙領域Ｒ２の側で必要な固有的デューティ比を示す。式１の右辺の第２項は用紙領域Ｒ１の補助加熱に必要な熱量に相当するデューティ比である。これらを合算して非用紙領域Ｒ２側のヒータ３４（第２ヒータ３４ｂ）の駆動信号のデューティ比を求める。
【００６０】
ステップＳ１４
ヒータ制御部５２はステップＳ１３で計算したデューティ比を第２駆動回路５３ｂに適用する。第２駆動回路５３ｂは上記デューティ比の駆動信号で第２ヒータ３４ｂを駆動する。この結果、第２ヒータ３４ｂは用紙領域Ｒ１における不足熱量相当値に応じたデューティ比（強度）で駆動されることになる。ヒータ制御部５２は、その後、ステップＳ６に回帰する。なお、非用紙領域Ｒ２には上限温度が設定されており、第２ヒータ駆動回路５３ｂは前記上限温度を超えない限度で駆動信号のデューティ比を計算する。  
【００６１】
本実施例では、用紙領域Ｒ１側の不足熱量相当値を用紙領域Ｒ１側ヒータの駆動信号のデューティ比を使用して計算し、この不足熱量相当値を補償するように、非用紙領域Ｒ２側ヒータ３４の駆動信号のデューティ比を設定する。このため、非用紙領域Ｒ２側ヒータ３４の駆動信号のデューティ比を正確に設定することができる。
【００６２】
７．第２実施例：加熱制御フロー（狭幅連続紙ＷＰ（ｎ）：温度制御）
次に、図５および図７を用いて狭幅連続紙ＷＰ（ｎ）の加熱制御の別例について説明する。本例は用紙領域Ｒ１側の不足熱量相当値を用紙領域Ｒ１の温度をベースに計算する。図７は狭幅連続紙ＷＰ（ｎ）をヒータ３４を用いて加熱制御する際のフローチャートである。ここでは、狭幅連続紙ＷＰ（ｎ）として第１狭幅連続紙ＷＰ（ａ）を使用するものとする。  
【００６３】
ステップＳ１からステップＳ１０までの工程は第１実施例と同一であるので説明を省略する。
【００６４】
ステップＳ１１
用紙領域Ｒ１のセンサ３５（第１センサ３５ａ）の検出温度と第１目標温度ｔ１１との差分温度ｔ１５を取得する。差分温度ｔ１５は用紙領域Ｒ１側の不足熱量に相当する。
【００６５】
ステップＳ１２
ヒータ制御部５２は非用紙領域Ｒ２側の補助加熱温度ｔ１６を以下の式２で計算する。補助加熱温度ｔ１６とは、用紙領域Ｒ１側の不足熱量相当値を非用紙領域Ｒ２側ヒータ３４（第２ヒータ３４ｂ）で補うべき熱量に相当する。
（式２）
補助加熱温度ｔ１６＝差分温度ｔ１５×熱的寄与率
【００６６】
ステップＳ１３
ヒータ制御部５２は、ステップＳ１１で検出された用紙領域Ｒ１側の不足熱量を補うために非用紙領域Ｒ２側の目標温度を再設定する。すなわち、以下の式３により、第３目標温度ｔ１７を計算し、該第３目標温度ｔ１７を非用紙領域Ｒ２側のヒータ駆動回路５３（第２ヒータ駆動回路５３ｂ）に再設定する。
（式３）
第３目標温度ｔ１７＝補助加熱温度ｔ１６＋第２目標温度ｔ１２
【００６７】
ステップＳ１４
第２ヒータ駆動回路５３ｂは第２センサ３５ｂの出力と第３目標温度ｔ１７との差分温度ｔ１８を取得する。
【００６８】
ステップＳ１５
第２ヒータ駆動回路５３ｂは差分温度ｔ１６に基づいて第２ヒータ３４ｂの駆動信号のデューティ比を計算する。この計算の際、第２ヒータ駆動回路５３ｂは、非用紙領域Ｒ２に予め設定されている上限温度を超えない限度で駆動信号のデューティ比を計算する。
【００６９】
ステップＳ１６
第２ヒータ駆動回路５３ｂはステップＳ１５で計算されたデューティ比の駆動信号で第２ヒータ３４ｂを駆動する。
【００７０】
本実施例では、用紙領域Ｒ１側で不足する熱量を用紙領域Ｒ１側の不足温度を使用して推測する。用紙領域Ｒ１側の不足熱量相当値を非用紙領域Ｒ２側のヒータ３４で補うために必要な補助加熱温度ｔ１６を熱的寄与率を参照して算出する。その上で、非用紙領域Ｒ２の本来の目標温度である第２目標温度ｔ１２に、前記補助加熱温度ｔ１６を加算した第３目標温度ｔ１３が非用紙領域Ｒ２側で実現できるように、非用紙領域Ｒ２側ヒータ３４の駆動信号のデューティ比を設定する。このため、前記駆動信号のデューティ比を正確に設定することができる。
【００７１】
８．印刷処理
全体制御部４０は、加熱制御部５０が実施例１および２に係る処理によりヒートローラ３１の外周面３８を印刷に適した温度まで昇温させると、搬送部１０およびプリンタ部２０などに必要な信号を供給して、連続紙ＷＰへの印刷を開始する。
【００７２】
９．変形例
上記実施の形態では印刷媒体として連続紙ＷＰを使用したが、印刷媒体が枚葉であっても本発明は実施可能である。また、実施の形態ではヒートローラ３１に内蔵されたヒータ３４を使用したが、ヒートローラ３１の外部から外周面３８を加熱するヒータ３４を使用する場合にも本発明は実施可能である。さらに、ヒートローラ３１の温度も各種手法により検出可能である。例えば、センサ３４がヒートローラ３１の外周面３８の温度を測定する際に連続紙ＷＰがセンサ３４と黒体３２との間に介在していてもよい。
【符号の説明】
【００７３】
１      給紙部
２      印刷機本体
３      排紙部
１０    搬送部
２０    プリンタ部
２１    インクジェットヘッド
３０    乾燥部
３１    ヒートローラ
３２    黒体
３３    モータ
３４ａ  第１ヒータ
３４ｂ  第２ヒータ
３５ａ  第１センサ
３５ｂ  第２センサ
３８ａ  第１外周面
３８ｂ  第２外周面
４０    全体制御部
５０    加熱制御部
５１    メモリ
５２    ヒータ制御部
５３ａ  第１ヒータ駆動回路
５３ｂ  第２ヒータ駆動回路
１００  インクジェット印刷装置（印刷装置）
【図１】
2019166799.tif 000003
【図２】
2019166799.tif 000004
【図３】
2019166799.tif 000005
【図４】
2019166799.tif 000006
【図５】
2019166799.tif 000007
【図６】
2019166799.tif 000008
【図７】
2019166799.tif 000009